(57)【特許請求の範囲】
【請求項１】
シリンダ錠の解錠または施錠に用いられる鍵であって、
前記シリンダ錠の鍵穴に挿入される挿入部の、鍵の挿入方向に対して左右の面のそれぞれに、キーコードに対応する形状の溝が形成され、
前記挿入部の先端部において、前記鍵の挿入方向と直行する上下方向における上側または下側の端部のうちの一方がテーパ形状を有し、他方がエッジとされ、
前記シリンダ錠が前記鍵穴の内部において前記鍵の挿入方向と直行する上下方向に移動可能に設けられた係止部材を有し、
前記先端部のテーパ形状により、前記挿入部の前記鍵穴への挿入に伴って、前記鍵穴の内部で係止部材が前記先端部と係止しない位置に移動させられ、
前記先端部のエッジにより、前記係止部材が前記先端部を係止して前記挿入部の前記鍵穴への挿入を抑止し、
前記挿入部の両面にそれぞれ設けられた溝の形状に従って、複数のプレートが前記鍵の挿入方向と直交する上下方向に移動させられ、
予め設定されたキーコードに対応する溝の形状に従って前記プレートのそれぞれが第１の方向に移動させられた場合、シリンダの回動を係止していたサイドバーの前記鍵の挿入方向に対する左右方向の移動により前記シリンダ錠が解錠可能となり、
前記挿入部の後端部に切り込みが設けられ、前記シリンダとともに前記鍵が回動されるとき、前記切り込みが前記シリンダの外周を覆う外周カバーの前端部と遊嵌した状態で回動される
鍵。
【請求項２】
前記プレートと前記サイドバーは、前記鍵穴の中心において線対称となる位置にそれぞれ設けられる
請求項１に記載の鍵。
【発明の詳細な説明】
【技術分野】
【０００１】
本発明は、鍵に関し、特に、低コストでユーザにとっての利便性が高く、かつ安全性の高いシリンダ錠の鍵を提供できるようにする鍵に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または解錠できることが要求される。
【０００３】
シリンダ錠の鍵を紛失したり、不正に合鍵を作成された場合、または、不正に解錠される恐れが生じた場合、シリンダ錠を他の鍵で施錠または解錠できるものに取り替えなければならなかった。この場合、１つの鍵で施錠または解錠できるシリンダ錠を新たに多数準備すると、多額の費用がかかってしまう。また、シリンダ錠の取替え作業にも手間と時間がかかってしまっていた。
【０００４】
そこで、例えば、遊技機を新たに購入した場合、遊技機に設けられたシリンダ錠を、既に使用されている鍵で、施錠または開錠（解錠）できるようにすることが必要である。旧型の板状鍵では新型錠を解錠操作できないため、旧型錠から新型錠への切り換えが安全性高く行なえるシリンダ錠も提案されている（例えば、特許文献１参照）。
【０００５】
さらに、キーコードを変更できる小型で安価なシリンダ錠であって、安全で小型なシリンダ錠も提案されている（例えば、特許文献２参照）。これによれば、シリンダ錠の大きさ（長さ）を変えることなく、キーコードを増やすことが可能となる。
【特許文献１】特開２００６−５７２９５号公報
【０００６】
【特許文献２】特開２００７−１７７４２３号公報
【発明の開示】
【発明が解決しようとする課題】
【０００７】
ところで、シリンダ錠においては、鍵の挿入時に、鍵の挿入部の左右の面を正しく挿入しなければ、解錠することはできない。特に、鍵の挿入部の左右両面にキーコードが設定されている場合、ユーザに、鍵の挿入部の左右の面が正しく挿入されているかを認識させることが重要である。
【０００８】
しかしながら、特許文献１で用いられる鍵を用いれば、誤って鍵の挿入部の左右の面を逆に挿入してしまうことを防止できるが、この鍵は、断面の形状が複雑であり、工作機械での切削加工が難しく、例えば、鍵の製造コストが高くなる場合がある。
【０００９】
また、特許文献２で用いられるシリンダ錠においては、鍵の挿入部の左右の面を逆に挿入してもシリンダ錠を解錠することができるリバーシブルな鍵を利用することもできるが、このシリンダ錠は、複数の開閉プレートを付勢する開閉プレート用バネを、それぞれ内周シリンダの内部の所定の位置に取り付ける必要があり、構造が複雑になる。
【００１０】
本発明は、このような状況に鑑みてなされたものであり、低コストでユーザにとっての利便性が高く、かつ安全性の高いシリンダ錠の鍵を提供できるようにするものである。
【課題を解決するための手段】
【００１１】
本発明による鍵は、シリンダ錠の解錠または施錠に用いられる鍵であって、シリンダ錠の鍵穴に挿入される挿入部の、鍵の挿入方向に対して左右の面のそれぞれに、キーコードに対応する形状の溝が形成され、挿入部の先端部において、鍵の挿入方向と直行する上下方向における上側または下側の端部のうちの一方がテーパ形状を有し、他方がエッジとされ、され、シリンダ錠が鍵穴の内部において鍵の挿入方向と直行する上下方向に移動可能に設けられた係止部材を有し、先端部のテーパ形状により、挿入部の鍵穴への挿入に伴って、鍵穴の内部で係止部材が先端部と係止しない位置に移動させられ、先端部のエッジにより、係止部材が先端部を係止して挿入部の鍵穴への挿入を抑止し、挿入部の両面にそれぞれ設けられた溝の形状に従って、複数のプレートが鍵の挿入方向と直交する上下方向に移動させられ、予め設定されたキーコードに対応する溝の形状に従ってプレートのそれぞれが第１の方向に移動させられた場合、シリンダの回動を係止していたサイドバーの鍵の挿入方向に対する左右方向の移動によりシリンダ錠が解錠可能となり、挿入部の後端部に切り込みが設けられ、シリンダとともに鍵が回動されるとき、切り込みがシリンダの外周を覆う外周カバーの前端部と遊嵌した状態で回動される。
【００１２】
本発明の鍵においては、シリンダ錠の鍵穴に挿入される挿入部の、鍵の挿入方向に対して左右の面のそれぞれに、キーコードに対応する形状の溝が形成され、挿入部の先端部において、鍵の挿入方向と直行する上下方向における上側または下側の端部のうちの一方がテーパ形状を有し、他方がエッジとされる。また、シリンダ錠が鍵穴の内部において鍵の挿入方向と直行する上下方向に移動可能に設けられた係止部材を有し、先端部のテーパ形状により、挿入部の鍵穴への挿入に伴って、鍵穴の内部で係止部材が先端部と係止しない位置に移動させられ、先端部のエッジにより、係止部材が先端部を係止して挿入部の鍵穴への挿入を抑止し、挿入部の両面にそれぞれ設けられた溝の形状に従って、複数のプレートが鍵の挿入方向と直交する上下方向に移動させられ、予め設定されたキーコードに対応する溝の形状に従ってプレートのそれぞれが第１の方向に移動させられた場合、シリンダの回動を係止していたサイドバーの鍵の挿入方向に対する左右方向の移動によりシリンダ錠が解錠可能となり、挿入部の後端部に切り込みが設けられ、シリンダとともに鍵が回動されるとき、切り込みがシリンダの外周を覆う外周カバーの前端部と遊嵌した状態で回動される。
【００１３】
従って、鍵の挿入部のそれぞれ面の鍵の挿入方向に対しての向きが誤って挿入されることが抑止される。
【００１６】
前記プレートとサイドバーは、鍵穴の中心において線対称となる位置にそれぞれ設けられるようにすることができる。
【００１７】
従って、小型のシリンダ錠であっても、設定可能なキーコードの数を増やすことができる。
【発明の効果】
【００１８】
本発明によれば、低コストでユーザにとっての利便性が高く、かつ安全性の高いシリンダ錠の鍵を提供できる。
【発明を実施するための最良の形態】
【００１９】
以下に、本発明の実施の形態について図面を参照して説明する。
【００２０】
図１および図２は、本発明を適用したシリンダ錠１００の外観の例を示している。図１は、シリンダ錠１００の前端部側の外観の斜視図である。図２は、シリンダ錠１００の後端部側の外観の斜視図である。
【００２１】
シリンダ錠１００の、外周シリンダ１０１の内側には、正規の鍵が挿入された場合に、鍵と共に回動する内周シリンダ１０３が設けられている。内周シリンダ１０３が外周シリンダ１０１の内側に配置された状態において、内周シリンダ１０３に設けられた、鍵の挿入部が挿入される鍵穴１０３ａは、外周シリンダ１０１から外部に露出する。すなわち、外周シリンダ１０１が内周シリンダ１０３の外周を覆うように（カバーのように）設けられている。
【００２２】
また、外周シリンダ１０１の前方の端面には、切り込み１０１ｈ−１および切り込み１０１ｈ−２が設けられている。鍵の挿入部が外周シリンダの切り込み１０１ｈ−１または切り込み１０１ｈ−２に対応する位置にない場合、鍵の挿入部の抜き差しができないようになされている。
【００２３】
シリンダ錠１００を解錠する場合、鍵穴１０３ａに鍵の挿入部を挿入し、例えば、時計回りに９０°回転させる。また、シリンダ錠１００において、後述するようにキーコードをリセットする場合、鍵穴１０３ａに鍵の挿入部を挿入し、例えば、反時計回りに１３５°回転させる。
【００２４】
また、外周シリンダ１０１の後部には、スイッチケース１０２が設けられており、外周シリンダ１０１とスイッチケース１０２は、ピン１０５−１およびピン１０５−１の反対側にあるピン１０５−２により互いに固定されている。スイッチケース１０２は、シリンダ錠１００が解錠されたとき、解錠されたことを表す電気的信号を生成するスイッチ１１４が内部に取り付けられており、スイッチケース１０２の後部において露出するスイッチ１１４のコネクタ１１４ａが、例えば、遊技機の電源ユニットなどの所定の部位に接続されて、シリンダ錠１００が解錠されたことを表す電気的信号を、電源ユニットなどに供給する。
【００２５】
図３は、シリンダ錠１００の構成を示す斜視図である。同図に示されるように、内周シリンダ１０３は、外周シリンダ１０１の内側に挿入されるように構成されており、外周シリンダ１０１の内部で回動可能となるように構成されている。また、内周シリンダ１０３は、後部（図中鍵穴１０３ａと反対側）に、ラチェットディスク１１１の凸部１１１ａと嵌合する形状の凹部を有しており、自身の回動に伴ってラチェットディスク１１１を回動させる。
【００２６】
スイッチシリンダ１１３は、スイッチケース１０２の内部に挿入されるように構成されており、スイッチケース１０２の内部で回動可能となるように構成されている。スイッチシリンダ１１３は、ラチェットディスク１１１と係合する形状とされており、内周シリンダ１０３が回動された場合、ラチェットディスク１１１とともにスイッチシリンダ１１３も回動するようになされている。また、スイッチシリンダ１１３は、スイッチケース１０２の内部に挿入された状態において、バネ１１２により、スイッチ１１４側に付勢される。
【００２７】
スイッチシリンダ１１３の後部（スイッチ１１４側）の面には、所定の位置に凸部が設けられており、スイッチシリンダが所定の角度だけ回転されたとき、スイッチシリンダ１１３の後部の面の凸部がスイッチ１１４の凸部１１４ｂと当接することにより、スイッチ１１４の凸部１１４ｂが押圧されてスイッチ１１４のコネクタ１１４ａから電気信号が出力されるようになされている。
【００２８】
また、ここでは図示されていないが、内周シリンダ１０３の後部の形状は、スイッチケース１０２の前端部の形状と対応して、内周シリンダ１０３の回動を規制するようになされている。例えば、シリンダ錠１００を施錠した状態から内周シリンダ１０３が右方向（時計回り）に９０°回転された場合において、内周シリンダ１０３の後部に設けられた凸部がスイッチケース１０２の前端部に設けられた凸部と当接し、内周シリンダ１０３がそれ以上右方向に回転することが抑止されるようになされている。
【００２９】
なお、シリンダ錠１００を小型化するためには、スイッチ１１４の凸部１１４ｂも充分に小さくする必要があり、例えば、スイッチシリンダ１１３などの大きさや形状に鍵の挿入方向の誤差（ガタ）が生じた場合、スイッチシリンダ１１３の後部の面の凸部がスイッチ１１４の凸部１１４ｂと適確に当接せず、シリンダ錠１００が解錠されたにもかかわらず、コネクタ１１４ａから電気信号が出力されなくなってしまうことが懸念される。本発明のシリンダ錠１００においては、スイッチシリンダ１１３は、スイッチケース１０２の内部に挿入された状態において、バネ１１２により、スイッチ１１４側に付勢されるようにしたので、シリンダ錠を構成する部品にガタがあった場合でもスイッチシリンダ１１３の後部の面の凸部がスイッチ１１４の凸部１１４ｂと適確に当接するようにすることができる。
【００３０】
スイッチケース１０２は、前方の円周状の端部１０２ｃが内周シリンダ１０３に当接するとともに、その外側の面が外周シリンダ１０１の内側の面と当接するように構成されており、内部にスイッチ１１４が取り付けられるように構成されている。また、スイッチケース１０２の前方の円周状の端部１０２ｃ上に設けられた穴１０２ｆは、シリンダ錠１００がリセットされるとき、後述するようにサイドバー１５１−１の後方（スイッチケース１０２側）の端部が挿入される穴とされる。
【００３１】
スイッチ１１４は、スイッチケース１０２の内部に挿入された状態で、ピン１１５−１とピン１１５−２が、それぞれ穴１１４ｃと穴１１４ｄに挿入されることでスイッチケース１０２に固定されるようになされている。スイッチケース１０２は、前方が円形に構成されているが、後方は矩形の面を有するように構成されているので、ピン１１５−１とピン１１５−２により、スイッチ１１４を確実に、かつ簡単に固定することができる。
【００３２】
また、同図に示されるように内周シリンダ１０３には、開閉プレート１３１−１乃至１３１−４、およびタンブラプレート１３３−１乃至１３３−４、並びに開閉プレート１３１−２１乃至１３１−２４、およびタンブラプレート１３３−２１乃至１３３−２４が取り付けられる。
【００３３】
開閉プレート１３１−１乃至１３１−４のそれぞれは、その内周シリンダ１０３に対する位置によって、内周シリンダ１０３の回動を可能にするか、または回動を抑制するように動作する。開閉プレート１３１−１乃至１３１−４はそれぞれ、係合穴によってタンブラプレート１３３−１乃至１３３−４と係合する。
【００３４】
例えば、開閉プレート１３１−１の図中上部には、３つの穴により構成される係合穴１３１−１ａが設けられており、図中下部には、やはり３つの穴で構成される係合穴１３１−１ｂが設けられている。一方、タンブラプレート１３３−１には、係合穴１３１−１ａのいずれか１つの穴に係合する径をもつ係合ピン１３３−１ｂ、および係合穴１３１−１ｂのいずれか１つの穴に係合する径をもつ係合ピン１３３−１ｃが設けられている。
【００３５】
従って、係合ピン１３３−１ｂおよび係合ピン１３３−１ｃが、それぞれ係合穴１３１−１ａおよび係合穴１３１−１ｂのいずれか１つの穴に係合することにより、開閉プレート１３１−１とタンブラプレート１３３−１が係合する。そして、開閉プレート１３１−１とタンブラプレート１３３−１が係合することにより、開閉プレート１３１−１とタンブラプレート１３３−１の図中上下方向の位置が決まる。ここで上下方向とは、内周シリンダ１０３において鍵が挿入される方向と直交する方向であって、開閉プレート１３１−１において係合穴１３１−１ａまたは係合穴１３１−１ｂで示される３つの穴が並べられる方向である。
【００３６】
この例では、係合穴１３１−１ａおよび係合穴１３１−１ｂはそれぞれ３つの穴により構成されているので、開閉プレート１３１−１とタンブラプレート１３３−１の図中上下方向の位置は、３通りのうちのいずれかとなる。
【００３７】
また、開閉プレート１３１−１は、図中上下方向には移動可能となるが、鍵の挿入方向に移動できないように、内周シリンダ１０３に取り付けられる。一方、タンブラプレート１３３−１は、内周シリンダ１０３に取り付けられた状態で、開閉プレート１３１−１の移動に伴って、図中上下方向に移動可能であり、かつサイドバー１５１−１の移動に伴って、鍵の挿入方向にも移動可能となるようになされている。従って、サイドバー１５１−１を鍵の挿入方向に移動させることで、上述した係合ピン１３３−１ｂおよび係合ピン１３３−１ｃと、係合穴１３１−１ａおよび係合穴１３１−１ｂとの係合、すなわち開閉プレート１３１−１とタンブラプレート１３３−１との係合を解除したり、また、再び係合させたりすることができるようになされている。
【００３８】
ここでは、開閉プレート１３１−１とタンブラプレート１３３−１の係合について説明したが、他の開閉プレートとタンブラプレートも開閉プレート１３１−１とタンブラプレート１３３−１の場合と同様に係合する。シリンダ錠１００においては、このように、開閉プレートとタンブラプレートの図中上下方向の位置が決まることによって、キーコードが決められることになる。すなわち、開閉プレート１３１−１乃至１３１−４とタンブラプレート１３３−１乃至１３３−４をそれぞれ係合させることにより、８１通り（＝３4）のキーコードが設定可能となる。
【００３９】
開閉プレート１３１−２１乃至１３１−２４、およびタンブラプレート１３３−２１乃至１３３−２４のそれぞれは、開閉プレート１３１−１乃至１３１−４、およびタンブラプレート１３３−１乃至１３３−４と同様の構成とされ、内周シリンダ１０３の鍵穴１０３ａを中心として、開閉プレート１３１−１乃至１３１−４、およびタンブラプレート１３３−１乃至１３３−４と向かい合うように取り付けられる。
【００４０】
すなわち、開閉プレート１３１−２１乃至１３１−２４、およびタンブラプレート１３３−２１乃至１３３−２４のそれぞれは、開閉プレート１３１−１乃至１３１−４、およびタンブラプレート１３３−１乃至１３３−４と、鍵穴１０３ａの中心位置において線対称となる位置に設けられている。つまり、内周シリンダ１０３の鍵穴１０３ａの左右両側の開閉プレートとタンブラプレートのそれぞれは、内周シリンダ１０３の回転軸を通る上下方向の線分に関して対称となる位置に取り付けられている。
【００４１】
したがって、シリンダ錠１００においては、開閉プレート１３１−１乃至１３１−４とタンブラプレート１３３−１乃至１３３−４をそれぞれ係合させ、さらに開閉プレート１３１−２１乃至１３１−２４とタンブラプレート１３３−２１乃至１３３−２４をそれぞれ係合させることにより、６５６１通り（＝３8）のキーコードが設定可能となる。
【００４２】
シリンダ錠１００を解錠または施錠する鍵においては、鍵穴１０３ａに挿入される挿入部の両面に、それぞれ開閉プレート１３１−１乃至１３１−４の凸部と開閉プレート１３１−２１乃至１３１−２４の凸部が挿入される溝が設けられている。そして、鍵の挿入部の溝の形状に従って、開閉プレート１３１−１乃至１３１−４および開閉プレート１３１−２１乃至１３１−２４の上下方向の位置が定まることになる。
【００４３】
このように、シリンダ錠１００を解錠または施錠する鍵においては、鍵の挿入部の両面に設けられた溝のそれぞれの形状がキーコードとなる。
【００４４】
例えば、開閉プレートとタンブラプレートが、シリンダ錠の奥行方向に一列に並べられて構成されている場合、キーコードを増やそうとすると、開閉プレートとタンブラプレートをシリンダ錠の奥行にさらに追加する必要があり、その結果、シリンダ錠の奥行方向の長さがさらに長くなってしまうが、本発明のシリンダ錠１００においては、開閉プレート１３１−２１乃至１３１−２４、およびタンブラプレート１３３−２１乃至１３３−２４のそれぞれが、開閉プレート１３１−１乃至１３１−４、およびタンブラプレート１３３−１乃至１３３−４と鍵穴１０３ａの中心位置において線対称となる位置に取り付けられるので、シリンダ錠の大きさ（長さ）を変えることなく、キーコードを増やすことが可能となる。
【００４５】
サイドバー１５１−１は、サイドバー用バネ１５２−１およびサイドバー用バネ１５２−２によって、外周シリンダ１０１の内面に押圧される。サイドバー１５１−１または１５１−２は、外周シリンダ１０１の内面に設けられた凹部と噛み合うか、またはその噛み合いが外れることにより、外周シリンダ１０１に対する内周シリンダ１０３の回動を規制する。
【００４６】
サイドバー１５１−１は、内周シリンダ１０３に設けられた図示せぬサイドバー用孔に沿って、鍵の挿入方向と直交する方向に移動可能な構造とされている。シリンダ錠１００が解錠可能となる状態においては、サイドバー１５１−１の一部がタンブラプレート１３３−１乃至１３３−４の凹部１３３−１ａ乃至１３３−４ａ（ここでは、１３３−１ａのみ図示）に嵌合することにより、サイドバー１５１−１が鍵の挿入方向と直交する方向であって、シリンダ錠１００の内側方向（内周シリンダ１０３の回転軸に近づく方向）に移動する。その結果、外周シリンダ１０１の内面に設けられた凹部とサイドバー１５１−１との嵌合が解除され、内周シリンダ１０３は回動可能となる。
【００４７】
一方、シリンダ錠１００が施錠された状態においては、サイドバー１５１−１は、タンブラプレート１３３−１乃至１３３−４いずれかの、凹部１３３−１ａ乃至１３３−４ａ以外の側面に当接するので、サイドバー１５１−１は、鍵の挿入方向と直交する方向であって、シリンダ錠１００の内側方向に移動できず、その結果、外周シリンダ１０１の内面に設けられた凹部とサイドバー１５１−１との嵌合は解除されず、内周シリンダ１０３は回動不可能となる。
【００４８】
なお、サイドバー１５１−１は、上述のようにサイドバー用バネ１５２−１およびサイドバー用バネ１５２−２により、通常、鍵の挿入方向と直交する方向であって、シリンダ錠１００の外側方向、すなわち外周シリンダ１０１の内面に設けられた凹部と嵌合する方向に付勢されている。
【００４９】
また、サイドバー１５１−１は、内周シリンダ１０３に設けられたサイドバー用孔に沿って、鍵の挿入方向に移動可能な構造とされている。シリンダ錠１００のキーコードをリセットする状態においては、サイドバー１５１−１が鍵の挿入方向であって、シリンダ錠１００の後方（スイッチケース１０２側）に移動する。その結果、サイドバー１５１−１の移動に伴って、タンブラプレート１３３−１乃至１３３−４も鍵の挿入方向に移動し、開閉プレート１３１−１乃至１３１−４とタンブラプレート１３３−１乃至１３３−４との係合がそれぞれ解除されることでキーコードがリセットされる。
【００５０】
なお、上述のように、サイドバー１５１−１が鍵の挿入方向と直交する方向に移動する場合、タンブラプレート１３３−１乃至１３３−４の位置は変化しないようになされている。また、サイドバー１５１−１が鍵の挿入方向に移動する場合、タンブラプレート１３３−１乃至１３３−４は、サイドバー１５１−１の移動に伴って、鍵の挿入方向に移動するようになされている。タンブラプレート１３３−１乃至１３３−４のそれぞれは、例えば、サイドバー１５１−１に設けられた図示せぬタンブラプレート用孔などに嵌合するように構成され、サイドバー１５１−１の移動に伴って、鍵の挿入方向にも移動可能となるように構成されている。
【００５１】
一方、開閉プレート１３１−１乃至１３１−４のそれぞれは、例えば、内周シリンダ１０３に設けられた図示せぬ開閉プレート用孔などに嵌合するように構成され、鍵の挿入方向には移動できないように構成されている。
【００５２】
したがって、サイドバー１５１−１が鍵の挿入方向であって、シリンダ錠１００の後方（スイッチケース１０２側）に移動した場合、サイドバー１５１−１の移動に伴って、タンブラプレート１３３−１乃至１３３−４も鍵の挿入方向に移動し、開閉プレート１３１−１乃至１３１−４とタンブラプレート１３３−１乃至１３３−４との係合がそれぞれ解除されることになる。
【００５３】
また、サイドバー１５１−１は、サイドバー用バネ１５２−３により、通常、鍵の挿入方向であって、シリンダ錠１００の後方（スイッチケース１０２側）に付勢されており、後述する外周シリンダ１０１の正面裏側の形状と、スイッチケース１０２の前端面の形状に従って鍵の挿入方向に移動する。
【００５４】
ここでは、サイドバー１５１−１の動作について説明したが、サイドバー１５１−２についても同様に動作する。ただし、サイドバー１５１−２の場合、シリンダ錠１００のキーコードをリセットするときの移動方向がサイドバー１５１−１の場合と異なる。すなわち、サイドバー１５１−２は、サイドバー用バネ１５２−１３により、通常、鍵の挿入方向であって、シリンダ錠１００の前方に付勢されており、シリンダ錠１００のキーコードをリセットする状態においては、サイドバー１５１−１が鍵の挿入方向であって、シリンダ錠１００の前方に移動し、その結果、開閉プレート１３１−２１乃至１３１−２４とタンブラプレート１３３−２１乃至１３３−２４との係合がそれぞれ解除されることでキーコードがリセットされる。
【００５５】
挿入ピン１７５は、内周シリンダ１０３の穴１０３ｂに挿入される。挿入ピン１７５は、内周シリンダ１０３が外周シリンダ１０１の内部に挿入された状態において、バネ１７２により図中下方向に付勢され、挿入ピン１７５の端部１７５ａが内周シリンダ内の鍵穴１０３ａに突出するようになされている。
【００５６】
上述したように、鍵の挿入部の両面に設けられた溝のそれぞれの形状がキーコードとなる。挿入ピン１７５は、後述するように、誤って鍵の挿入部の左右の面を逆に挿入されてしまうことを防止するようになされている。すなわち、仮に鍵の挿入部の左右の面を逆にして鍵が挿入された場合、鍵の挿入部の先端の一部が挿入ピン１７５と当接することにより、鍵が挿入できなくなるようになされている。
【００５７】
本発明のシリンダ錠１００においては、開閉プレート１３１−２１乃至１３１−２４、およびタンブラプレート１３３−２１乃至１３３−２４のそれぞれが、開閉プレート１３１−１乃至１３１−４、およびタンブラプレート１３３−１乃至１３３−４と鍵穴１０３ａの中心位置において線対称となる位置に取り付けられるので、鍵の挿入部の両面にキーコードを特定するための溝などが設けられることになるが、キーコードを増やすためには、当然のことながら挿入部の左右の溝の形状は互いに異なるものとなる。このような、鍵は、シリンダ錠１００に挿入するとき、挿入部の面をそれぞれ鍵穴１０３ａの長手方向（鍵の挿入方向）に対して左右のどちらに向けるかが予め定められていることになり、この向きを誤って挿入すると、シリンダ錠１００を解錠したりリセットしたりすることができない。
【００５８】
本発明のシリンダ錠１００においては、挿入ピン１７５により、鍵の挿入部のそれぞれ面の鍵の挿入方向に対しての向きが誤って挿入されることが抑止される。
【００５９】
また、端部１７５ａが鍵穴１０３ａに挿入された鍵の挿入部の図中上側の端面に当接して、鍵穴１０３ａに鍵の挿入部が挿入された状態で安定させるようになされている。
【００６０】
鍵の挿入部は、鍵穴１０３ａに挿入されるので、鍵穴１０３ａよりやや小さくなるように構成される必要がある。このため、鍵の挿入部が鍵穴１０３ａに挿入された状態で、その挿入部が図中上下方向に微動することがあるが、その場合、鍵の挿入部の図中上下方向の動きに伴って開閉プレートも上下方向に移動してしまい、その結果、開閉プレートと係合しているタンブラプレートの図中上下方向の位置がサイドバーの位置とずれてしまい、シリンダ錠を解錠できなくなる。
【００６１】
本発明のシリンダ錠１００においては、バネ１７２により図中下方向に付勢された挿入ピン１７５の端部１７５ａが鍵の挿入部の図中上側の端面に当接して、鍵の挿入部を図中下方向に付勢するので鍵の挿入部が図中上下方向に微動することを抑止できる。なお、バネ１７２は、穴１０３ｂに挿入された後、穴１０３ｂから突出することがないように加工されるなどして係止されるので、内周シリンダ１０３が回動しているときも、端部１７５ａが鍵の挿入部の図中上側の端面に当接して、鍵の挿入部を付勢し続けることになる。
【００６２】
鍵の挿入部が図中上下方向に微動することを抑止するために、例えば、開閉プレートのそれぞれをバネなどで付勢してもよいが、その場合、開閉プレートの数に対応するバネを内周シリンダに取り付ける必要があり、部品数が増加してしまう。また、開閉プレートのそれぞれがバネなどで付勢されていると、鍵の挿入部と当接する開閉プレートの凸部が、摩耗してしまうおそれがあり、シリンダ錠の耐久性が低下してしまう。
【００６３】
本発明のシリンダ錠１００においては、開閉プレートのそれぞれを付勢するバネなどは不要であり、部品数を少なくすることが可能となり、また、耐久性を維持させることも可能となる。
【００６４】
また、挿入ピン１７５の端部１７５ａが鍵の挿入部の図中上側の端面に当接して、鍵の挿入部を図中下方向に付勢することにより、図中上下方向に微動することだけでなく、鍵が、鍵の挿入方向に微動することも抑止される。図中下方に付勢された鍵の挿入部の下側の端面が内周シリンダの鍵穴１０３ａの下側の面と当接することで摩擦が生じるからである。
【００６５】
図４ａは、外周シリンダ１０１の外観を示す図であり、図４ｂは、図４ａに示される外周シリンダを別の角度から見た図である。図４ｃと図４ｄは、外周シリンダ１０１の正面裏側の面の構成を説明する図であり、分かり易くするため、それぞれ仮想的に図４ａと図４ｂの外周シリンダ１０１の円筒部分が取り除かれた状態の図とされている。図４ｃと図４ｄに示されるように、外周シリンダ１０１の正面裏側の面は、その位置によって、形状が異なっており、内周シリンダの回動に伴ってサイドバー１５１−２が移動するとき、サイドバー１５１−２の前方（外周シリンダ１０１側）の端部が当接する位置に穴１０１ｆが設けられている。
【００６６】
鍵穴１０３ａに鍵の挿入部が挿入された状態で内周シリンダ１０３が反時計回りに所定の角度（例えば、１３５°）回動され、サイドバー１５１−１の後端部（スイッチケース１０２側の端部）が図３の穴１０２ｆと同じ位置まで移動したとき、サイドバー１５１−１の後端部が穴１０２ｆに挿入されて、サイドバー１５１−１が、鍵の挿入方向であってシリンダ錠の後方へ移動する。
【００６７】
また、このとき、サイドバー１５１−２の前端部（外周シリンダ１０１側の端部）が図４ｃまたは図４ｄの穴１０１ｆと同じ位置まで移動したとき、サイドバー１５１−２の前端部が穴１０１ｆに挿入されて、サイドバー１５１−２が、鍵の挿入方向であってシリンダ錠の前方へ移動する。
【００６８】
サイドバー１５１−１とサイドバー１５１−２の鍵の挿入方向の移動に伴って、タンブラプレート１３３−１乃至１３３−４とタンブラプレート１３３−２１乃至１３３−２４も、鍵の挿入方向の移動して、各タンブラプレートに係合していた開閉プレートは、それぞれタンブラプレートと当接しない状態となり、タンブラプレートと開閉プレートとの係合がそれぞれ解除される。これにより、シリンダ錠１００においてキーコードがリセットされた状態となる。
【００６９】
リセットが完了した状態で、新たな鍵を挿入し、内周シリンダ１０３を時計回りに回動させると、係合が解除されていた各タンブラプレートの係合ピンと、各開閉プレートの係合穴が、新たな鍵のキーコードに対応する位置で再び係合する。その結果、シリンダ錠１００に新たなキーコードを設定することができる。
【００７０】
なお、リセットは、鍵穴１０３ａに鍵の挿入部が挿入された状態で内周シリンダ１０３が反時計回りに所定の角度だけ回動されて、鍵の挿入部が外周シリンダの切り込み１０１ｈ−２に対応する位置に移動されたときのみ行うことが可能となる。鍵の挿入部が外周シリンダの切り込み１０１ｈ−２に対応する位置にない場合、鍵の挿入部の抜き差しができないからである。
【００７１】
また、図４ａ乃至図４ｄに示されるように、外周シリンダ１０１の内側の面には、サイドバー１５１−１またはサイドバー１５１−２と嵌合する凹部１０１ｄ−１乃至凹部１０１ｄ−３が、それぞれ溝状に構成されて設けられている。
【００７２】
シリンダ錠１００に正規の鍵が挿入されていない場合、サイドバー１５１−１は、外周シリンダ１０１の凹部１０１ｄ−１と嵌合しており、また、サイドバー１５１−２は、外周シリンダ１０１の凹部１０１ｄ−２と嵌合しており、内周シリンダ１０３を回動させることができないようになされている。
【００７３】
シリンダ錠１００に正規の鍵が挿入された場合、上述したように、サイドバー１５１−１の一部がタンブラプレート１３３−１乃至１３３−４の凹部１３３−１ａ乃至１３３−４ａに嵌合することにより、サイドバー１５１−１が鍵の挿入方向と直交する方向であって、シリンダ錠１００の内側方向（内周シリンダ１０３の回転軸に近づく方向）に移動可能となり、また、サイドバー１５１−２も同様に、シリンダ錠１００の内側方向（内周シリンダ１０３の回転軸に近づく方向）に移動可能となる。その結果、外周シリンダ１０１の内面に設けられた凹部１０１ｄ−１とサイドバー１５１−１との嵌合が解除され、また、凹部１０１ｄ−２とサイドバー１５１−２との嵌合が解除され、内周シリンダ１０３は回動可能となる。
【００７４】
また、シリンダ錠１００に、正規の鍵が挿入されて時計回りに９０°回転された場合、シリンダ錠１００が解錠されることになるが、このときサイドバー１５１−２が外周シリンダ１０１の内面に設けられた凹部１０１ｄ−３と嵌合することになる。これにより、シリンダ錠１００が解錠されたときに、鍵を通してユーザの手に伝わってくるクリック感が得られることになる。さらに、解錠された状態で内周シリンダや鍵などの位置を安定させることもでき、シリンダ錠１００が解錠された場合の電気信号の出力状態を安定的に保持できる。
【００７５】
次に、シリンダ錠１００が解錠される仕組みについて説明する。図５は、鍵が挿入されていない状態（すなわち施錠されている状態）のシリンダ錠１００の外観を示す図であり、図６は、図５の平面Ａにおけるシリンダ錠１００の断面図である。
【００７６】
図７は、図６の円Ａで囲まれた部分を拡大した図であり、図８は、図６の円Ｂで囲まれた部分を拡大した図である。図７に示されるように、タンブラプレート１３３−２１と開閉プレート１３１−２１は、上述したように係合ピン１３３−２１ｂ（または係合ピン１３３−２１ｃ）が、係合穴１３１−２１ａ（または係合穴１３１−２１ｂ）に係合することで、互いに当接する状態となっている。また、図８に示されるように、タンブラプレート１３３−１と開閉プレート１３１−１は、上述したように係合ピン１３３−１ｂ（または係合ピン１３３−１ｃ）が、係合穴１３１−１ａ（または係合穴１３１−１ｂ）に係合することで互いに当接する状態となっている。
【００７７】
図９は、鍵が挿入されていない状態（すなわち施錠されている状態）のシリンダ錠１００の正面図であり、図１０は、図９の状態のシリンダ錠１００を、所定の奥行方向の位置において切断した状態の断面図である。
【００７８】
図９に示されるように、挿入ピン１７５の端部１７５ａが内周シリンダ内の鍵穴１０３ａに突出している。
【００７９】
図１０に示されるように、鍵が挿入されていない状態においては、開閉プレート１３１−１または１３１−２１は、図中下側に位置している。
【００８０】
この状態において、開閉プレート１３１−１または開閉プレート１３１−２１の上下方向の位置に伴って位置が定まるタンブラプレート１３３−１または１３３−２１も下側に位置しており、タンブラプレート１３３−１の凹部１３３−１ａは、サイドバー１５１−１の凸部１５１−１ａと図中上下方向の位置が一致しておらず、また、タンブラプレート１３３−２１の凹部１３３−２１ａは、サイドバー１５１−２の凸部１５１−２ａと図中上下方向の位置が一致していない。
【００８１】
なお、同図においては示されていないが、サイドバー１５１−１の図中左側の凸部１５１−１ａは、実際には、サイドバー１５１−２の図中右側の凸部１５１−２ａと同様の構成とされている。
【００８２】
また、この状態では、サイドバー１５１−１は、外周シリンダ１０１の内面に設けられた凹部１０１ｄ−１と嵌合しており、また、サイドバー１５１−２は、外周シリンダ１０１の内面に設けられた凹部１０１ｄ−２と嵌合しており、内周シリンダ１０３を回動させることはできない。
【００８３】
図１１に示されるように、シリンダ錠１００に鍵１９０（シリンダ錠１００を解錠できる正規の鍵）が挿入された場合、シリンダ錠１００の内部の各部の状態は、図１０に示される状態から図１２に示されるように変化する。
【００８４】
なお、シリンダ錠１００の鍵穴１０３ａへの鍵１９０の挿入部の挿入において、鍵の挿入部の左右の面が正しく挿入された場合、鍵１９０の挿入部の先端の形状により、挿入ピン１７５が上方向に押し上げられて鍵１９０が挿入可能となるようになされており、鍵の挿入部の左右の面を逆にして鍵が挿入された場合、鍵の挿入部の先端の一部が挿入ピン１７５と当接することにより、鍵が挿入できなくなるようになされている。鍵１９０の詳細な構成については後述する。
【００８５】
図１２は、図１０と同じ所定の奥行方向の位置におけるシリンダ錠１００の断面図であり、鍵１９０がシリンダ錠１００に挿入されている場合の断面図である。
【００８６】
同図においては、鍵１９０の挿入部１９１の両面に設けられた溝に開閉プレートの凸部１３１−１ｅまたは１３１−２１ｅが挿入された状態とされている。これにより、開閉プレート１３１−１または１３１−２１とともに、タンブラプレート１３３−１または１３３−２１が図中上下方向に移動する。いまの場合、図１０に示される状態と比較して、タンブラプレート１３３−１または１３３−２１が上側に移動しており、その結果、タンブラプレート１３３−１の凹部１３３−１ａは、サイドバー１５１−１の凸部１５１−１ａと図中上下方向の位置が一致し、また、タンブラプレート１３３−２１の凹部１３３−２１ａは、サイドバー１５１−２の凸部１５１−２ａと図中上下方向の位置が一致している。
【００８７】
なお、ここでは、タンブラプレート１３３−１と、タンブラプレート１３３−２１についてのみ説明したが、正規の鍵が挿入された場合、タンブラプレート１３３−２乃至１３３−４またはタンブラプレート１３３−２２乃至１３３−２４についても、凹部１３３−２ａ乃至１３３−４ａまたは凹部１３３−２２a乃至１３３−２４ａが、サイドバー１５１−１の凸部１５１−１ａまたはサイドバー１５１−２の凸部１５１−２ａと図中上下方向の位置がそれぞれ一致することになる。すなわち、正規の鍵のキーコードは、シリンダ錠１００に設定されているキーコードと一致するので、全てのタンブラプレートの凹部の位置がサイドバーの凸部の位置と一致するように移動される。
【００８８】
この状態であれば、サイドバー１５１−１の凸部１５１−１ａを、タンブラプレート１３３−１乃至１３３−４の凹部１３３−１ａ乃至１３３−４ａに嵌合させることにより、サイドバー１５１−１を鍵の挿入方向と直交する方向であって、シリンダ錠１００の内側方向（図中左側）に移動させることが可能となる。また、サイドバー１５１−２の凸部１５１−２ａを、タンブラプレート１３３−２１乃至１３３−２４の凹部１３３−２１ａ乃至１３３−２４ａに嵌合させることにより、サイドバー１５１−２を鍵の挿入方向と直交する方向であって、シリンダ錠１００の内側方向（図中右側）に移動させることが可能となる。
【００８９】
図１１に示される状態から、図１３に示されるように鍵１９０が時計回りに回動させると、シリンダ錠１００の内部の各部の状態は、図１２に示される状態から図１４に示されるように変化する。
【００９０】
図１４は、図１２（または図１０）と同じ所定の奥行方向の位置におけるシリンダ錠１００の断面図であり、鍵１９０が回動されている場合の断面図である。正規の鍵が挿入された場合、上述したように、全てのタンブラプレートの凹部の位置がサイドバーの凸部の位置と一致するように移動されるので、サイドバー１５１−１およびサイドバー１５１−２をシリンダ錠１００の内側方向に付勢すれば、サイドバー１５１−１およびサイドバー１５１−２が鍵の挿入方向と直交する方向であって、シリンダ錠１００の内側方向に移動して、外周シリンダ１０１の内面に設けられた凹部１０１ｄ−１および凹部１０１ｄ−２との嵌合が解除され、内周シリンダ１０３が回動可能となる。
【００９１】
すなわち、鍵１９０が回動させられると、それに伴って、内周シリンダ１０３も回動され、このとき、凹部１０１ｄ−１または１０１ｄ−２の形状に沿って、サイドバー１５１−１およびサイドバー１５１−２がシリンダ錠１００の内側方向に付勢されていくことになる。これにより、図１４に示されるように内周シリンダ１０３が回動される。
【００９２】
図１３に示される状態からさらに、図１５に示されるように鍵１９０が時計回りに回動させると、シリンダ錠１００の内部の各部の状態は、図１４に示される状態から図１６に示されるように変化する。図１５においては、図１１に示された状態から、鍵１９０が時計回りに９０°回転されたことになる。すなわち、図１５の状態でシリンダ錠１００は解錠され、コネクタ１１４ａから電気信号が出力される。
【００９３】
図１６は、図１４と同じ所定の奥行方向の位置におけるシリンダ錠１００の断面図であり、鍵１９０が時計回りに９０°回転された場合の断面図である。同図において、サイドバー１５１−１は、図１４の場合と同様に、鍵の挿入方向と直交する方向であって、シリンダ錠１００の内側方向に移動しているが、サイドバー１５１−２は、図１４の場合と異なり、シリンダ錠１００の内側方向に移動しておらず、外周シリンダ１０１の内面の凹部１０１ｄ−３と嵌合している。
【００９４】
すなわち、サイドバー１５１−２は、サイドバー用バネ１５２−１１およびサイドバー用バネ１５２−１２によって、鍵の挿入方向と直交する方向であって、外周シリンダ１０１の内面に設けられた凹部と嵌合する方向に付勢されているので、内周シリンダ１０３（鍵１９０）が時計回りに９０°回動されて外周シリンダ１０１の内面に設けられた凹部１０１ｄ−３に対応する位置まで移動させられたとき、サイドバー１５１−２が、鍵の挿入方向と直交する方向であって、外周シリンダ１０１の内面に設けられた凹部と嵌合する方向に移動し、凹部１０１ｄ−３と嵌合する。これにより、シリンダ錠１００が解錠されたときになされる、サイドバー１５１−２と凹部１０１ｄ−３との嵌合が、鍵を通してユーザの手にクリック感として伝わってくることになる。また、解錠された状態で内周シリンダ１０３や鍵１９０などの位置を安定させることもでき、シリンダ錠１００が解錠された場合の電気信号の出力状態を安定的に保持できる。
【００９５】
なお、正規の鍵１９０が挿入された状態では、上述したように、全てのタンブラプレートの凹部の位置がサイドバーの凸部の位置と一致するように移動されるので、サイドバー１５１−２は、シリンダ錠１００の内側方向に付勢されれば、鍵の挿入方向と直交する方向であって、シリンダ錠１００の内側方向に移動するので、外周シリンダ１０１の内面に設けられた凹部１０１ｄ−３との嵌合は解除される。従って、図１５または図１６に示される状態から、鍵１９０を反時計回りに回動させれば、内周シリンダ１０３が回動されて、シリンダ錠１００を再び施錠することができる。
【００９６】
また、図１６において、凹部１０１ｄ−３と向かい合う位置であって、サイドバー１５１−１と当接する位置に、凹部（溝）が設けられるようにしてもよい。
【００９７】
シリンダ錠１００が解錠されたとき、外周シリンダ１０１の内側の面においてサイドバーと当接する位置に設けられた凹部（凹部１０１ｄ−３）は、上述したようにクリック感を得るために設けられたものであり、例えば、凹部１０１ｄ−１および凹部１０１ｄ−２とは異なり、内周シリンダ１０３の回動を規制するために設けられたものではないので、解錠された状態でサイドバー１５１−１またはサイドバー１５１−２のいずれか一方と対応する位置に設けられるようにすれば足りる。
【００９８】
このように、本発明のシリンダ錠１００においては、クリック感を得るために、特に部品数を増やすことなく、サイドバーと外周シリンダの形状を利用してクリック感が得られるようにすることができ、また、シリンダ錠が解錠された場合、その解錠状態を保持することができる。
【００９９】
次に、シリンダ錠１００を解錠できる鍵の構成について説明する。
【０１００】
図１７は、本発明を適用した鍵１９０の構成を示す斜視図である。同図に示されるように、鍵１９０の、鍵穴１０３ａに挿入される部分である挿入部１９１に、キーコードに対応する溝が設けられている。この溝は、面１９１ａと面１９１ｂに挟まれるようにして構成されている。
【０１０１】
挿入部１９１の溝には、上述した開閉プレート１３１−１乃至１３１−４または開閉プレート１３１−２１乃至１３１−２４のそれぞれの一部（凸部）が挿入され、この溝の形状に従って、それぞれの開閉プレートの上下方向の位置が定まることになる。
【０１０２】
また、挿入部１９１の溝は、挿入部１９１の先端部において、図中縦方向（上下方向）の幅が広くなるように構成されており、挿入部１９１が鍵穴１０３ａに挿入されたとき、例えば、開閉プレート１３１−２１の凸部１３１−２１ｅがこの溝にくわえ込まれるようにして挿入される。この溝は、挿入部１９１の先端部において図中縦方向の幅が広く構成されているが、それ以外の部分では、図中縦方向の幅が開閉プレートの凸部の幅とほぼ同等となるように構成されているので、凸部１３１−２１ｅは、この溝の面１９１ａまたは面１９１ｂに当接して上下方向に移動し、開閉プレート１３１−２１の上下方向の位置が変化する。そして、鍵１９０が完全にシリンダ錠１００に挿入されたとき、この溝の予め設定された所定の位置において、凸部１３１−２１ｅの上下方向の位置が定まり、開閉プレート１３１−２１が鍵１９０のキーコードに対応する位置に移動させられることになる。
【０１０３】
上述したように、シリンダ錠１００においては、開閉プレートのそれぞれを付勢するバネなどが設けられておらず、開閉プレートは、内周シリンダ１０３に取り付けられた状態で、鍵の挿入方向と直交する方向（例えば、図１２の図中上下方向）に移動可能となるように構成されている。従って、開閉プレートが上方向に移動するとき、開閉プレートの凸部は面１９１ｂと当接して押し上げられることとなり、開閉プレートが下方向に移動するとき、開閉プレートの凸部は面１９１ａと当接して押し下げられることとなる。
【０１０４】
なお、開閉プレートは、バネにより付勢されてはいないものの、重力により下側に付勢されているともいえるので、開閉プレートを下方向に移動させるときは、一見、あえて押し下げる必要はないようにも思われるが、キーコードに対応する位置に確実に移動させるためには、やはり面１９１ａと当接させて押し下げる必要がある。
【０１０５】
このように、開閉プレートのそれぞれを付勢するバネなどが設けられていない場合、キーコードに対応する形状を挿入部１９１に構成するにあたって、開閉プレートの凸部を上向きに押し上げる面（例えば、面１９１ｂ）と、開閉プレートの凸部を下向きに押し下げる面（例えば、面１９１ｂ）を含む溝を適切に形成する必要がある。また、キーコードに対応する形状を挿入部１９１に構成するにあたって、開閉プレートの凸部を上向きに押し上げる面と、開閉プレートの凸部を下向きに押し下げる面を含む溝を適切に形成すれば、例えば、開閉プレートの取り付け部分に異物（塵等）が付着して開閉プレートが滑らかに移動しなくなったときでも、開閉プレートをキーコードに対応する位置に、確実に移動させることができる。
【０１０６】
なお、挿入部１９１のキーコードに対応する溝は、図１７に示される位置と反対側の位置にも設けられている。開閉プレート１３１−１乃至１３１−４とタンブラプレート１３３−１乃至１３３−４をそれぞれ係合させ、さらに開閉プレート１３１−２１乃至１３１−２４とタンブラプレート１３３−２１乃至１３３−２４をそれぞれ係合させることにより、６５６１通り（＝３8）のキーコードを設定可能とするためには、当然、挿入部１９１の左右両側の面にキーコードに対応する溝を設ける必要がある。
【０１０７】
本発明の鍵１９０は、上述したように、挿入部１９１の左右両側の面に、それぞれ開閉プレートの凸部を上向きに押し上げる面と、開閉プレートの凸部を下向きに押し下げる面を含む溝であって、キーコードに対応する溝が設けられているので、設定可能なキーコードの数を充分に多くすることができ、かつ、シリンダ錠１００の解錠、施錠、またはリセットの操作を確実に行うことが可能である。また、鍵１９０により解錠などされる、シリンダ錠１００においては、開閉プレートのそれぞれを付勢するバネなどが不要なので、部品数を少なくすることが可能となり、また、耐久性を維持させることも可能となる。
【０１０８】
また、鍵１９０には、鍵１９０が完全にシリンダ錠１００に挿入されたとき、挿入ピン１７５と当接する位置に、凹部１９３が設けられている。また、鍵１９０の挿入部１９１の後端部分に切り込み１９２が設けられており、鍵１９０がシリンダ錠１００に挿入されて回転させられるとき、切り込み１９２が外周シリンダ１０１の前端部をくわえるようにして回動されるようになされている。
【０１０９】
挿入部１９１は、左右両面にキーコードに対応する溝が設けられているため、溝に挟まれた中央の部分は、他の部分と比較して薄く（厚みが少なく）構成されている。この溝に挟まれた中央の部分の一部であって、挿入部１９１の先端部１９４の形状は、挿入部１９１の左右の面が正しく挿入された場合、挿入ピン１７５が上方向に押し上げるように構成されており、挿入部１９１の左右の面を逆にして鍵が挿入された場合、挿入ピン１７５と当接して係止されるように構成されている。
【０１１０】
図１８と図１９は、それぞれ鍵１９０の側面図である。図１８は、図１７において、鍵１９０を、挿入部１９１の先端部１９４側から見た場合、左側の側面を示す図であり、図１９は、図１７において、鍵１９０を、挿入部１９１の先端部１９４側から見た場合、右側の側面を示す図である。
【０１１１】
図１８に示されるように、鍵１９０の挿入部１９１の左側の面に設けられたキーコードに対応する溝は、面１９１ｃと面１９１ｄに挟まれるようにして構成されている。面１９１ｃと面１９１ｄに挟まれるようにして構成された溝に、開閉プレート１３１−１乃至開閉プレート１３１−４のそれぞれの凸部が挿入された状態で、鍵１９０が完全にシリンダ錠１００に挿入されたとき、タンブラプレート１３３−１乃至タンブラプレート１３３−４のそれぞれの凹部の位置が、サイドバー１５１−１の凸部１５１−１ａの位置と一致することになる。
【０１１２】
図１９に示されるように、鍵１９０の挿入部１９１の右側の面に設けられたキーコードに対応する溝は、面１９１ａと面１９１bに挟まれるようにして構成されている。そして、鍵１９０の挿入部１９１の右側の面に設けられたキーコードに対応する溝の形状は、鍵１９０の挿入部１９１の左側の面に設けられたキーコードに対応する溝の形状とは異なるものとなるように構成されている。
【０１１３】
面１９１ａと面１９１bに挟まれるようにして構成された溝に、開閉プレート１３１−２１乃至開閉プレート１３１−２４のそれぞれの凸部が挿入された状態で、鍵１９０が完全にシリンダ錠１００に挿入されたとき、タンブラプレート１３３−２１乃至タンブラプレート１３３−２４のそれぞれの凹部の位置が、サイドバー１５１−２の凸部１５１−２ａの位置と一致することになる。
【０１１４】
すなわち、鍵１９０の、図１７乃至図１９における図中上方向を、図１の図中上方向に向けてシリンダ錠１００に挿入すると、鍵１９０によりシリンダ錠１００を解錠することができ、鍵の挿入部の左右の面が正しく挿入されたことになる。
【０１１５】
挿入部１９１の先端部１９４は、図１８または図１９において、図中上側の端部は、丸みを帯びた形状とされており、図中下側の端部は、鍵の挿入方向と直交する図中上下方向の直線を有する形状とされている。すなわち、挿入部１９１の先端部１９４の図中上側の端部は、挿入ピン１７５を上方向に押し上げるためのテーパ形状とされ、挿入部１９１の先端部１９４の図中下側の端部は、挿入ピン１７５と当接して鍵１９０の挿入を抑止するためのエッジとされる。
【０１１６】
図２０は、図１８の図中円で示された部分を拡大した図である。同図に示されるように、先端部１９４の図中上側の端部１９４ａは、丸みを帯びた形状とされており、挿入ピン１７５の端部１７５ａと当接しながら、挿入ピン１７５を上方向に押し上げるためのテーパ形状とされている。また、先端部１９４の図中下側の端部１９４ｂは、鍵の挿入方向と直交する図中上下方向の直線を有する形状とされ、仮に鍵の挿入部の左右の面が逆向き挿入されて挿入ピン１７５の端部１７５ａと当接しても、挿入ピン１７５を上方向に押し上げることはできず、その結果、先端部１９４は挿入ピン１７５により係止される。すなわち、先端部１９４の図中下側の端部１９４ｂは、鍵１９０の挿入を抑止するためのエッジとされている。
【０１１７】
図２１乃至図２３を参照して、さらに説明する。
【０１１８】
図２２は、図２１の平面Ｂにおけるシリンダ錠１００の断面図である。同図においては、シリンダ錠１００に鍵１９０の挿入部１９１の先端部１９４が挿入されている。なお、図２２の場合、鍵１９０の挿入部１９１の左右の面が正しく挿入されているものとする。
【０１１９】
挿入ピン１７５の端部１７５ａは、バネ１７２により図中下方向に付勢されて内周シリンダ内の鍵穴１０３ａに突出するように取り付けられているので、挿入部１９１が鍵穴１０３ａに挿入されるとき、挿入部１９１の先端部１９４に端部１７５ａが当接する。しかし、図２２に示されるように、先端部１９４の図中上側の端部１９４ａがテーパ形状とされているので、挿入部１９１が図中右方向に挿入されていくのに伴って、挿入ピン１７５の端部１７５ａと当接しながら、挿入ピン１７５を上方向に押し上げている。その結果、鍵１９０の挿入部１９１は、同図に示される状態から、さらに右方向に挿入され得る。
【０１２０】
そして、鍵１９０がシリンダ錠１００に完全に挿入されたとき、凹部１９３に、挿入ピン１７５の端部１７５ａが当接し、鍵１９０を安定させる。すなわち、バネ１７２により付勢された挿入ピン１７５の端部１７５ａにより、挿入部１９１が図中下方向に付勢されて鍵１９０の図中上下方向または左右方向の微動が抑止される。
【０１２１】
図２３は、やはり図２１の平面Ｂにおけるシリンダ錠１００の断面図である。同図においても、図２２の場合と同様に、シリンダ錠１００に鍵１９０の挿入部１９１の先端部１９４が挿入されている。ただし、図２３の場合、図２２の場合とは異なり、鍵１９０の挿入部１９１の左右の面が逆に挿入されているものとする。
【０１２２】
図２３の場合、先端部１９４の図中上側（図１７乃至図１９においては図中下側であったもの）の端部１９４ｂがエッジとされているので、挿入ピン１７５の端部１７５ａと当接した後、挿入ピン１７５を上方向に押し上げることはできない。その結果、鍵１９０の挿入部１９１を、同図に示される状態から、さらに右方向に挿入することはできない。
【０１２３】
本発明の鍵１９０は、シリンダ錠１００に設定可能なキーコードの数を充分に多くするため、挿入部１９１の左右両側の面に異なる形状の溝が設けられている。従って、鍵１９０を、シリンダ錠１００に挿入するとき、挿入部１９１の鍵の挿入方向に対する左右の向きを誤ると、正規の鍵１９０であってもシリンダ錠１００を解錠できなくなってしまう。このため、挿入部１９１の鍵の挿入方向に対する左右の向きが誤っていた場合、その旨をユーザに気づかせることが重要である。
【０１２４】
本発明によれば、鍵１９０の挿入部１９１の左右の面が正しく挿入された場合、鍵１９０をシリンダ錠１００に完全に挿入することができるようにし、また、鍵１９０の挿入部１９１の左右の面が逆に挿入されている場合、鍵１９０をシリンダ錠１００に完全に挿入することができないようにすることができる。従って、挿入部１９１の鍵の挿入方向に対する左右の向きが誤っていた場合、その旨をユーザに気づかせることができる。
【０１２５】
なお、仮に、挿入ピン１７５が破壊されるなどして、図２３に示される状態から、鍵１９０がさらに右方向に挿入されたとしても、切り込み１９２の位置が適切でないため、鍵１９０をシリンダ錠１００に挿入して回動させることができないことになる。
【０１２６】
以上においては、挿入ピン１７５が図９の図中上側に設けられている例について説明したが、挿入ピン１７５が図９の図中下側に設けられるようにしてもよい。
【０１２７】
また、挿入ピン１７５の機能は、ピンにより実現されるものとは限られず、例えば、挿入ピン１７５に代えて、板状の部材を用いることも可能である。
【０１２８】
ところで、図１に示されるシリンダ錠１００は、例えば、スロット遊戯機の電源ユニットを構成するパネルなどに取り付けられるようになされており、シリンダ錠１００が電源ユニットのパネルに取り付けられた状態においては、外周シリンダ１０１の前側（鍵穴１０３ａが露出する側）の一部が電源ユニットの外部に露出し、その他の部分は、電源ユニットの内部に位置することになる。
【０１２９】
そして、シリンダ錠１００のスイッチ１１４のコネクタ１１４ａにハーネスなどを半田付けし、そのハーネスを電源ユニットの基板に接続することで所定の電気信号が供給されるようになされている。
【０１３０】
しかしながら、シリンダ錠を直接、電源ユニットなどの基板に取り付けるニーズも高まっている。
【０１３１】
図２４および図２５は、本発明を適用したシリンダ錠であって、直接基板に取り付け可能なシリンダ錠２００の外観の例を示している。図２４は、シリンダ錠２００の前端部側の外観の斜視図である。図２５は、シリンダ錠２００の後端部側の外観の斜視図である。
【０１３２】
シリンダ錠２００は、シリンダ錠１００と同様に解錠、施錠またはリセットされるシリンダ錠であり、図１７の鍵１９０と同様に構成された鍵を用いて解錠、施錠またはリセットされるようになされている。すなわち、シリンダ錠２００も、シリンダ錠１００の場合と同様に、鍵１９０の挿入部１９１の左右の面が正しく挿入された場合、鍵１９０をシリンダ錠２００に完全に挿入することができるようにし、また、鍵１９０の挿入部１９１の左右の面が逆に挿入されている場合、鍵１９０をシリンダ錠２００に完全に挿入することができないようになされている。
【０１３３】
また、シリンダ錠２００は、シリンダ錠１００の場合と同様に、外周シリンダ２０１の内側には、正規の鍵が挿入された場合に、鍵と共に回動する内周シリンダ２０３が設けられている。内周シリンダ２０３が外周シリンダ２０１の内側に配置された状態において、内周シリンダ２０３に設けられた、鍵の挿入部が挿入される鍵穴２０３ａは、外周シリンダ２０１から外部に露出する。すなわち、外周シリンダ２０１が内周シリンダ２０３の外周を覆うように（カバーのように）設けられている。
【０１３４】
図１または図２の外周シリンダ１０１の場合と異なり、図２４および図２５の外周シリンダ２０１の前端部側は、いわゆる傘型の形状とされておらず、純粋な円筒形に構成されている。その他の外周シリンダ２０１の形状は、図１または図２の外周シリンダ１０１の場合と同様なので詳細な説明は省略する。
【０１３５】
シリンダ錠２００を解錠する場合、鍵穴２０３ａに鍵の挿入部を挿入し、例えば、時計回りに９０°回転させる。また、シリンダ錠２００において、キーコードをリセットする場合、鍵穴２０３ａに鍵の挿入部を挿入し、例えば、反時計回りに１３５°回転させる。
【０１３６】
また、外周シリンダ２０１の後部には、スイッチケース２０２が設けられており、外周シリンダ２０１とスイッチケース２０２は、ピン２０５−１およびピン２０５−１の反対側にあるピン２０５−２により互いに固定されている。スイッチケース２０２は、シリンダ錠２００が解錠されたとき、解錠されたことを表す電気的信号を生成するスイッチ２１４が内部に取り付けられており、スイッチケース２０２の後部において露出するスイッチ２１４のコネクタ２１４ａが、例えば、遊技機の電源ユニットなどの基板に半田付けされて、シリンダ錠２００が解錠されたことを表す電気的信号を、基板に供給する。
【０１３７】
図２に示されるスイッチ１１４のコネクタ１１４ａと、図２５に示されるスイッチ２１４のコネクタ２１４ａは形状が異なっている。コネクタ１１４ａは、ハーネスなどが取り付けられるものであるのに対して、コネクタ２１４ａは、直接基板に半田付けされるものであるからである。
【０１３８】
また、シリンダ錠２００には、シリンダ錠１００の場合と異なり、ブラケット２０６が設けられている。ブラケット２０６は、コネクタ２１４ａが基板に半田付けされて取り付けられるシリンダ錠２００をより安定させるためのものである。ブラケット２０６は、曲げ部２０６ａ−１および曲げ部２０６ａ―２（図２５では、曲げ部２０６ａ−１のみ図示）によりスイッチケース２０２に固定されて取り付けられている。
【０１３９】
すなわち、シリンダ錠２００が基板に取り付けられるとき、コネクタ２１４ａとともに、ブラケット２０６の端部２０６ｂ−１乃至端部２０６ｂ−４、および端部２０６ｃ（図２５）も基板に半田付けされるようになされている。このようにすることで、基板に取り付けられたシリンダ錠２００をより安定させることができる。
【０１４０】
図２６は、シリンダ錠２００の構成を示す斜視図である。同図に示されるように、内周シリンダ２０３は、外周シリンダ２０１の内側に挿入されるように構成されており、外周シリンダ２０１の内部で回動可能となるように構成されている。また、内周シリンダ２０３の後部（図中鍵穴２０３ａと反対側）に設けられる、ラチェットディスク２１１乃至スイッチシリンダ２１３は、それぞれ図３のラチェットディスク１１１乃至スイッチシリンダ１１３と同様のものであるので詳細な説明は省略する。
【０１４１】
また、スイッチケース２０２の構成は、図３のスイッチケース１０２の構成と同様であり、スイッチ２１４の構成は、上述したコネクタ２１４ａの形状を除いて、図３のスイッチ１１４と同様なので詳細な説明は省略する。
【０１４２】
さらに、内周シリンダ２０３の構成も図３の内周シリンダ１０３の場合と同様である。すなわち、内周シリンダ２０３の内部には、やはりサイドバー、開閉プレート、およびタンブラプレートなどが取り付けられている。また、内周シリンダ２０３の内部には、やはり挿入ピンが取り付けられている。
【０１４３】
ブラケット２０６は、スイッチケース２０２を覆うように取り付けられる。そして上述したように、曲げ部２０６ａ―１と曲げ部２０６ａ―２が折り曲げられることでスイッチケース２０２に固定されるようになされている。
【０１４４】
図２７は、シリンダ錠２００を、図２６の図中上方向から見た図であり、図２８は、シリンダ錠２００を鍵穴２０３ａが露出する側（前側）から見た正面図である。また、図２９は、シリンダ錠２００を、図２７の図中右側方向から見た側面図である。
【０１４５】
図３０は、シリンダ錠２００の図２８の線Ｃ-Ｃにおける断面図である。同図に示されるように、ブラケット２０６は、曲げ部２０６ａ―１および曲げ部２０６ａ―２がそれぞれシリンダ錠２００の内側に折り曲げられることで、スイッチケース２０２に固定されている。
【０１４６】
スイッチケース２０２は、ピン２０５−１およびピン２０５−２により外周シリンダ２０１に固定されているので、ブラケット２０６は、外周シリンダ２０１に対しても固定されていることになり、基板に取り付けられたシリンダ錠２００全体を支持する。
【０１４７】
図３１と図３２は、基板に取り付けられたシリンダ錠２００の外観を示す斜視図である。図３１は、基板３０１にシリンダ錠２００が取り付けられた状態において、シリンダ錠２００の鍵穴２０３ａが露出する方向から見た斜視図であり、図３２は、図３１と反対の方向であって、コネクタ２１４ａ側から見た斜視図である。すなわち、図３１は、基板３０１の表側から見た斜視図であり、図３２は、基板の裏側から見た斜視図である。
【０１４８】
図３１と図３２に示される基板３０１は、予め適当な位置に複数の取り付け穴３０１ａが設けられている模擬基板とされるが、実際にシリンダ錠２００が取り付けられる電源ユニットの基板においては、例えば、複数の取り付け穴３０１ａにそれぞれ他の電子部品も取り付けられ、金属の薄膜で構成される回路のパターンなどが基板上に形成されている。そして、複数の取り付け穴３０１ａのうち、シリンダ錠２００のコネクタ２１４ａ、端部２０６ｂ−１乃至端部２０６ｂ−４、および端部２０６ｃのために設けられた取り付け穴３０１ａに、それぞれ対応する部位が取り付けられることになる。
【０１４９】
図３２に示されるように、所定の位置に設けられた複数の取り付け穴３０１ａに、コネクタ２１４ａ、端部２０６ｂ−１乃至端部２０６ｂ−４、および端部２０６ｃがそれぞれ挿入されている。実際には、この状態でコネクタ２１４ａ、端部２０６ｂ−１乃至端部２０６ｂ−４、および端部２０６ｃのそれぞれが基板３０１に半田付けされることでシリンダ錠２００が取り付けられることになる。
【０１５０】
図３１に示されるように、シリンダ錠２００は、基板３０１に取り付けられた状態で安定するようにブラケット２０６により支持されている。仮に、コネクタ２１４ａのみが基板３０１に半田付けされた状態では、シリンダ錠２００がスイッチケース２０２の後側（コネクタ２１４ａ側）の端面のみで基板３０１と接触して固定されている状態となるので、例えば、シリンダ錠２００の外周シリンダ２０１に、鍵の挿入方向と垂直な方向から力が加えられるなどされた場合、シリンダ錠２００を基板３０１上で安定させることが難しい。
【０１５１】
本発明のシリンダ錠２００は、上述したように、ブラケット２０６がスイッチケース２０２に固定されてシリンダ錠２００全体を支持しているので、基板３０１に直接取り付けられたシリンダ錠２００を安定させることが可能となる。
【図面の簡単な説明】
【０１５２】
【図１】本発明のシリンダ錠の構成例を示す斜視図である。
【図２】図１のシリンダ錠を別の角度からみた斜視図である。
【図３】図１のシリンダ錠の構成を示す斜視図である。
【図４】外周シリンダの外観を示す斜視図である。
【図５】シリンダ錠の外観を示す斜視図である。
【図６】図５の平面Ａにおけるシリンダ錠の断面図である。
【図７】図６の一部を拡大した図である。
【図８】図６の一部を拡大した図である。
【図９】鍵が挿入されていない状態のシリンダ錠の正面図である。
【図１０】図９のシリンダ錠の断面図である。
【図１１】鍵が挿入された状態のシリンダ錠の斜視図である。
【図１２】図１１の状態でのシリンダ錠の断面図である。
【図１３】鍵が回動させられている状態のシリンダ錠の斜視図である。
【図１４】図１３の状態でのシリンダ錠の断面図である。
【図１５】解錠された状態のシリンダ錠の斜視図である。
【図１６】図１５の状態でのシリンダ錠の断面図である。
【図１７】本発明の鍵の外観を示す斜視図である。
【図１８】図１７の鍵の側面図である。
【図１９】図１７の鍵の側面図である。
【図２０】図１８の一部を拡大した図である。
【図２１】シリンダ錠の外観を示す斜視図である。
【図２２】図２１の平面Ｂにおけるシリンダ錠の断面図である。
【図２３】図２１の平面Ｂにおけるシリンダ錠の断面図である。
【図２４】本発明のシリンダ錠の別の構成例を示す斜視図である。
【図２５】図２４のシリンダ錠を別の角度からみた斜視図である。
【図２６】図２４のシリンダ錠の構成を示す斜視図である。
【図２７】図２４のシリンダ錠を上方向から見た図である。
【図２８】図２７のシリンダ錠の正面図である。
【図２９】図２７のシリンダ錠の側面図である。
【図３０】図２７のシリンダ錠の断面図である
【図３１】基板に取り付けられたシリンダ錠の外観を示す斜視図である。
【図３２】図３１の基板とシリンダ錠を別の角度から見た斜視図である。
【符号の説明】
【０１５３】
１００  シリンダ錠，
１０１  外周シリンダ，
１０１ｄ−１，１０１ｄ−２，１０１ｄ−３  凹部，
１０２  スイッチケース，
１０３  内周シリンダ，
１０３ａ  鍵穴，
１１１  ラチェットディスク，
１１２  バネ，
１１３  スイッチシリンダ，
１１４  スイッチ，
１１４ａ  コネクタ，
１３１−１乃至１３１−４  開閉プレート，
１３１−２１乃至１３１−２４  開閉プレート，
１３３−１乃至１３３−４  タンブラプレート，
１３３−２１乃至１３３−２４  タンブラプレート，
１５１−１，１５１−２  サイドバー，
１７２  バネ，
１７５  挿入ピン，
１９０  鍵，
１９１  挿入部，
１９１ａ乃至１９１ｄ  面，
１９４  先端部，
１９４ａ，１９４ｂ  端部，
２００  シリンダ錠，
２０１  外周シリンダ，
２０２  スイッチケース，
２０３  内周シリンダ，
２０６  ブラケット，
２１４  スイッチ，
２１４ａ  コネクタ，
３０１  基板
【図１】
0005286734.tif 000002
【図２】
0005286734.tif 000003
【図３】
0005286734.tif 000004
【図４】
0005286734.tif 000005
【図５】
0005286734.tif 000006
【図６】
0005286734.tif 000007
【図７】
0005286734.tif 000008
【図８】
0005286734.tif 000009
【図９】
0005286734.tif 000010
【図１０】
0005286734.tif 000011
【図１１】
0005286734.tif 000012
【図１２】
0005286734.tif 000013
【図１３】
0005286734.tif 000014
【図１４】
0005286734.tif 000015
【図１５】
0005286734.tif 000016
【図１６】
0005286734.tif 000017
【図１７】
0005286734.tif 000018
【図１８】
0005286734.tif 000019
【図１９】
0005286734.tif 000020
【図２０】
0005286734.tif 000021
【図２１】
0005286734.tif 000022
【図２２】
0005286734.tif 000023
【図２３】
0005286734.tif 000024
【図２４】
0005286734.tif 000025
【図２５】
0005286734.tif 000026
【図２６】
0005286734.tif 000027
【図２７】
0005286734.tif 000028
【図２８】
0005286734.tif 000029
【図２９】
0005286734.tif 000030
【図３０】
0005286734.tif 000031
【図３１】
0005286734.tif 000032
【図３２】
0005286734.tif 000033